(57)【特許請求の範囲】
【請求項１】
パネルとファンネルとが外囲器を構成し、前記パネルの内面に蛍光体面が形成され、前記蛍光体面に対向して色選別電極が設けられ、前記ファンネルのネック部内に電子銃を備える陰極線管と、
前記陰極線管の側面部または背面部に前記陰極線管のＸ軸およびＹ軸について対称に配置された４つの補正コイルと、
外部磁界の異なる２つの方向の成分を感知する磁気方位センサと、
前記磁気方位センサの出力信号を前記補正コイルに流す電流に変換する駆動回路とを備え、
前記補正コイルは、前記陰極線管を背後から見たときに前記陰極線管の左上部に位置する第１の補正コイルと、左下部に位置する第２の補正コイルと、右上部に位置する第３の補正コイルと、右下部に位置する第４の補正コイルとからなり、
前記第１の補正コイルと前記第３の補正コイルとはＹ軸上において一部が重なり合っており、前記第２の補正コイルと前記第４の補正コイルとはＹ軸上において一部が重なり合っていることを特徴とする陰極線管装置。
【請求項２】
前記第１の補正コイルと前記第２の補正コイルとは前記陰極線管に対して同じ向きの磁界を発生し、前記第３のコイルと前記第４のコイルとは前記陰極線管に対して同じ向きの磁界を発生し、
前記第１の補正コイルおよび前記第２の補正コイルと、前記第３の補正コイルおよび前記第４の補正コイルとは、互いに独立に磁界を発生する、請求項１に記載の陰極線管装置。
【請求項３】
前記第１の補正コイルと前記第２の補正コイルとが直列に接続され、前記第３の補正コイルと前記第４の補正コイルとが直列に接続され、
前記駆動回路は、前記第１の補正コイルおよび前記第２の補正コイルに電流を供給する第１の駆動回路と、前記第３の補正コイルおよび前記第４の補正コイルに電流を供給する第２の駆動回路とを備える、請求項２に記載の陰極線管装置。
【請求項４】
前記第１〜第４の補正コイルは、ほぼ楕円形をなしており、その長径方向がＸ軸とほぼ平行になるように配置されている、請求項３に記載の陰極線管装置。
【請求項５】
前記磁気方位センサは、第１のセンサと第２のセンサとを有し、
前記第１のセンサは、前記パネル側から見てＸ軸方向右側に最大に偏向された時における電子ビームの軌道と平行な直線とほぼ直角な方向で最高感度が得られるように配置され、
前記第２のセンサは、同じくＸ軸方向左側に最大に偏向された時における電子ビームの軌道と平行な直線とほぼ直角な方向で最高感度が得られるように配置されている、請求項１〜４のいずれかに記載の陰極線管装置。
【請求項６】
前記第１のセンサは、その長手方向と、水平偏向量が前記パネル側から向かってＸ軸方向右側に最大に偏向された時における電子ビームの軌道と平行な直線とがほぼ直角をなすように配置され、
前記第２のセンサは、その長手方向と、Ｘ軸方向左側に最大に偏向された時における電子ビームの軌道と平行な直線とがほぼ直角をなすように配置されている、請求項５に記載の陰極線管装置。
【請求項７】
前記第１のセンサと前記第２のセンサとは、Ｙ軸と直角に交わる平面上に配置されている、請求項６に記載の陰極線管装置。
【請求項８】
前記第１のセンサの長手方向とＺ軸とのなす角度と、前記第２のセンサの長手方向とＺ軸とのなす角度が、それぞれ３０°以上６０°以下である、請求項６に記載の陰極線管装置。
【発明の詳細な説明】
【０００１】
【発明の属する技術分野】
本発明は、テレビジョン受像機等の陰極線管装置に関し、特に地磁気による電子ビームのランディングずれの改善に用いる地磁気補正装置に関するものである。
【０００２】
【従来の技術】
本明細書において、陰極線管を通常の使用状態に置いたときの水平方向（前面パネルの長辺と平行な方向）の軸をＸ軸と、垂直方向の軸をＹ軸と、Ｘ軸およびＹ軸と直角に交わる軸をＺ軸と呼ぶ。また、「上」、「下」、「左」、「右」は、特に指定がない限り陰極線管を前面パネル側から見たときを基準とする。
【０００３】
地磁気等の外部磁界中で、陰極線管内の電子ビームはフレミングの左手の法則に従う電磁力を受け、シャドウマスクから蛍光面にいたる入射角が変化してランディングの位置が変わり、所定の蛍光体ドットの全体に電子ビームが当たらなかったり、隣の蛍光体ドットに当たったりする、いわゆるミスランディングが発生する。
【０００４】
図８は、陰極線管を前面パネル側から見たときの、電子ビームのランディングのずれの向きを示す図である。図８（ａ）は、陰極線管の前面パネルが北を向いている場合であり、電子ビームが地磁気から受ける力は画面上部で左向き、画面下部で右向きである。図８（ｂ）は、前面パネルが東を向いている場合であり、電子ビームが地磁気から受ける力は画面左上部で右向き、画面右上部で左向き、画面左下部で左向き、画面右下部で右向きである。図８（ｃ）は、前面パネルが南を向いている場合であり、電子ビームが地磁気から受ける力は画面上部で右向き、画面下部で左向きである。図８（ｄ）は、前面パネルが西を向いている場合であり、電子ビームが地磁気から受ける力は画面左上部で左向き、画面右上部で右向き、左下部で右向き、右下部で左向きである。以上より、陰極線管が北または南を向いているときは、画面全体が平行四辺形状に歪むようにランディングがずれ、東または西を向いているときは画面全体が台形状に歪むようにランディングがずれることになる。
【０００５】
図９および図１０は、偏向角が９０°の陰極線管の方位（前面パネルの向き）と、電子ビームのランディングのずれの向きおよび大きさとの関係を示すグラフである。図９は画面上部の場合を、図１０は画面下部の場合をそれぞれ示す。グラフの横軸は陰極線管の方位を示し、０°が北向き、９０°が東向き、１８０°が南向き、２７０°が西向きである（以下同じ）。縦軸はランディングのずれの大きさを示し、値が正のときは右向きに、値が負のときは左向きにずれることを示す。
【０００６】
図９において、画面右上のランディングずれ（曲線９ａ）、左上のランディングずれ（曲線９ｂ）、中央上のランディングずれ（破線の曲線９ｃ）は、いずれも正弦波ｓｉｎ（θ−α）に従って変化する。９０°偏向の場合、電子ビームはＺ軸を基準として水平方向に±４５°偏向されるので、右上端と左上端とでは約９０°の位相差が生じる。前式のαは、曲線９ａで１３５°、曲線９ｂで４５°、曲線９ｃで９０°である。図１０に示す画面下部の場合には、画面右下（曲線１０ａ）、画面左下（曲線１０ｂ）、画面中央下（破線の曲線１０ｃ）は、それぞれ図９の曲線９ａ、９ｂ、９ｃの正負が反転した形となる。
【０００７】
図１１は、地磁気によるランディングずれを補正するために、従来、一部のテレビジョン受像機に使われている地磁気補正装置の概略図である。陰極線管のファンネル２２の背面（コーン部）の４つのコーナー部に４個のＸコイル１０１が設けられ、１個のＺコイル１０２がファンネル２２全体を囲むように設けられている。Ｘ軸方向の地磁気を感知するためのＸコイル用磁気方位センサ１０３がＸ軸と平行な方向に設けられ、Ｚ軸方向の地磁気を感知するためのＺコイル用磁気方位センサ１０４がＺ軸と平行な方向に設けられている。両センサを矢印の形状で示しているが、矢印の向きは、その向きの磁界に対して正の出力信号を発生することを示す。
【０００８】
Ｘコイル用磁気方位センサ１０３の出力電圧は、Ｘコイル駆動回路１０５で電流に変換され、この電流がＸコイル１０１に供給される。Ｚコイル用磁気方位センサ１０４の出力電圧は、Ｚコイル駆動回路１０６で電流に変換され、この電流がＺコイル１０２に供給される。４つのＸコイル１０１のうち左側の上下の２つは同じ向きの磁界を発生し、右側の上下の２つは同じ向きの磁界を発生し、かつ、左右のコイルは互いに逆向きの磁界を発生するように接続されている。
【０００９】
図１２は、陰極線管の方位と、Ｘコイル用磁気方位センサ１０３の出力（曲線１２ａ）およびＺコイル用磁気方位センサ１０４の出力（曲線１２ｂ）との関係を示すグラフである。Ｘコイル用磁気方位センサ１０３の出力１２ａは、陰極線管が東西方向を向くときにピーク出力を発生するサイン波ｓｉｎθで表される。Ｚコイル用磁気方位センサ１０４の出力１２ｂは、陰極線管が南北方向を向くときにピーク出力を発生する負のコサイン波−ｃｏｓθで表される。
【００１０】
図１３は、陰極線管の方位と、ＸコイルおよびＺコイルが発生する補正磁界の画面各部における値（相対値）との関係を示す。値が正の場合は右向きのランディングずれを補正する磁界であることを示し、値が負の場合は左向きのランディングずれを補正する磁界であることを示す。画面左上下（曲線１３ａ）では、Ｚコイルの磁界とＸコイルの磁界との和ｓｉｎ（θ−α）で表される。画面右上下（曲線１３ｂ）では、Ｚコイルの磁界とＸコイルの磁界との差−ｓｉｎ（θ＋α）で表される。画面中央上下（破線の曲線１３ｃ）では、Ｚコイルの磁界−ｃｏｓθが支配的となる。
【００１１】
図１３に示す補正磁界と図９に示すランディングずれとを対比すると、画面右上、中央上、左上においてそれぞれ位相が同じである。すなわち、補正磁界によるランディング補正は、図９に示すランディングずれと位相が同じで向きが逆であり、相互に打ち消し合う関係となる。一方、画面下部では、電子ビーム電流のＹ軸方向成分が画面上部と逆向きであるため、画面上部と同じ向きの補正磁界を作用させてもランディングの移動方向が逆になる。すなわち、補正磁界によるランディング補正は、図１０のランディングずれと位相が同じで向きが逆であり、相互に打ち消し合う。
【００１２】
なお、９０°以上の、例えば１１０°の広角陰極線管の場合、電子ビームはＺ軸を基準として水平方向に±５５°偏向されるので、画面右のランディングずれを示す曲線と画面左のランディングずれを示す曲線とは、１８０°−１１０°＝７０°の位相差をもつことになる。一方、Ｚコイル用磁気方位センサとＸコイル用磁気方位センサとは９０°の位相差をもち、ランディングずれの位相差７０°と一致しないため、α＝（１８０°−１１０°）／２＝３５°＝ｔａｎ−１（Ａｚ／Ａｘ）となるように、２つのセンサの出力電圧振幅比を０．７に設定する。
【００１３】
【発明が解決しようとする課題】
従来の地磁気補正装置では、陰極線管の偏向角度に関係なく、地磁気をＺ軸方向成分とＸ軸方向成分とに分離して検出し、駆動回路で変換した電流をＺコイルおよびＸコイルに流し、各コイルが発生する磁界を画面全領域で合成していた。このため、陰極線管を任意の方位に置いた状態では、ＸコイルとＺコイルの各々の磁界がランディング補正に寄与する分を特定するのが困難であり、補正量を調整する時に、各々の駆動回路の必要出力を特定しにくいという問題があった。そこで、補正量の調整は、Ｘコイル用磁気方位センサの出力がゼロになるＺ軸方向の地磁気中でＺコイルの補正量を調整し、Ｚコイル用磁気方位センサの出力がゼロになるＸ軸方向の地磁気中でＸコイルの補正量を調整していた。一方のセンサ出力がゼロで一方のコイルのみが補正磁界を発生する状態を作り出し、各々のセンサについて個別に補正量の調整を行なわなければならず、調整作業が煩雑であった。
【００１４】
また、従来の構成では４つのＸコイルと１つのＺコイルの、合計５つの補正コイルを必要としていた。
【００１５】
本発明は、このような問題を解決するものであり、従来の５つのコイルを４つのコイルで置き換え、かつ、補正量の調整が１回で済む地磁気補正装置を備えた陰極線管装置を提供するものである。
【００１６】
【課題を解決するための手段】
請求項１に記載の発明は、パネルとファンネルとが外囲器を構成し、前記パネルの内面に蛍光体面が形成され、前記蛍光体面に対向して色選別電極が設けられ、前記ファンネルのネック部内に電子銃を備える陰極線管と、前記陰極線管の側面部または背面部に前記陰極線管のＸ軸およびＹ軸について対称に配置された４つの補正コイルと、外部磁界の異なる２つの方向の成分を感知する磁気方位センサと、前記磁気方位センサの出力信号を前記補正コイルに流す電流に変換する駆動回路とを備え、前記補正コイルは、前記陰極線管を背後から見たときに前記陰極線管の左上部に位置する第１の補正コイルと、左下部に位置する第２の補正コイルと、右上部に位置する第３の補正コイルと、右下部に位置する第４の補正コイルとからなり、前記第１の補正コイルと前記第３の補正コイルとはＹ軸上において一部が重なり合っており、前記第２の補正コイルと前記第４の補正コイルとはＹ軸上において一部が重なり合っていることを特徴とする。
【００１７】
この構成によれば、左右の補正コイルの磁界は画面の左右の領域の補正にそれぞれ寄与し、左右のコイルが重なり合っている部分の合成磁界は画面の中央上下部分の補正に寄与する。また、従来のＺコイルが不要となり、コイル数を４個にすることができる。
【００１８】
請求項２に記載の発明は、前記第１の補正コイルと前記第２の補正コイルとは前記陰極線管に対して同じ向きの磁界を発生し、前記第３のコイルと前記第４のコイルとは前記陰極線管に対して同じ向きの磁界を発生し、前記第１の補正コイルおよび前記第２の補正コイルと、前記第３の補正コイルおよび前記第４の補正コイルとは、互いに独立に磁界を発生するものである。
【００１９】
この構成により、上下のコイルが発生する磁界が各々同じ向きとなるので、磁界が電子ビームに及ぼす力が画面上部と画面下部とで逆向きになり、画面上下ののミスランディングを各々補正する。
【００２０】
請求項３に記載の発明は、前記第１の補正コイルと前記第２の補正コイルとが直列に接続され、前記第３の補正コイルと前記第４の補正コイルとが直列に接続され、前記駆動回路は、前記第１の補正コイルおよび前記第２の補正コイルに電流を供給する第１の駆動回路と、前記第３の補正コイルおよび前記第４の補正コイルに電流を供給する第２の駆動回路とを備えるものである。
【００２１】
この構成により、第１の補正コイルおよび第２の補正コイルと、第３の補正コイルおよび第４の補正コイルとが、互いに独立に磁界を発生するようにすることができる。また、駆動回路が２個で足りる。
【００２２】
請求項４に記載の発明は、前記第１〜第４の補正コイルは、ほぼ楕円形をなしており、その長径方向がＸ軸とほぼ平行になるように配置されているものである。
【００２３】
この構成により、第１の補正コイルまたは第２の補正コイルと、第３の補正コイルまたは第４の補正コイルとを、Ｙ軸上において容易に重なり合うようにすることができる。
【００２４】
請求項５に記載の発明は、前記磁気方位センサは、第１のセンサと第２のセンサとを有し、前記第１のセンサは、前記パネル側から見てＸ軸方向右側に最大に偏向された時における電子ビームの軌道と平行な直線とほぼ直角な方向で最高感度が得られるように配置され、前記第２のセンサは、同じくＸ軸方向左側に最大に偏向された時における電子ビームの軌道と平行な直線とほぼ直角な方向で最高感度が得られるように配置されているものである。
【００２５】
この構成によれば、画面左右の偏向時の電子ビーム軌道と直角方向に感度のピークを持つように磁気方位センサが設置され、陰極線管の全方位における電子ビームのランディングずれと磁気方位センサの出力とを相似にすることができる。
【００２６】
請求項６に記載の発明は、前記第１のセンサは、その長手方向と、水平偏向量が前記パネル側から向かってＸ軸方向右側に最大に偏向された時における電子ビームの軌道と平行な直線とがほぼ直角をなすように配置され、前記第２のセンサは、その長手方向と、Ｘ軸方向左側に最大に偏向された時における電子ビームの軌道と平行な直線とがほぼ直角をなすように配置されているものである。
【００２７】
この構成により、第１および第２のセンサは、Ｘ軸方向最大偏向時における電子ビームの軌道とほぼ直角な方向で最高感度が得られる。
【００２８】
請求項７に記載の発明は、前記第１のセンサと前記第２のセンサとは、Ｙ軸と直角に交わる平面上に配置されているものである。
【００２９】
この構成により、地磁気のＸ軸方向成分とＺ軸方向成分とを効率よく検出できる。
【００３０】
請求項８に記載の発明は、前記第１のセンサの長手方向とＺ軸とのなす角度と、前記第２のセンサの長手方向とＺ軸とのなす角度が、それぞれ３０°以上６０°以下である。
【００３１】
この構成により、最大偏向角度が水平６０°から１２０°までの陰極線管で地磁気によるランディングずれを補正することができる。
【００３２】
【発明の実施の形態】
本発明の実施の形態について、図面を用いて説明する。
【００３３】
図２は、本発明の陰極線管装置の概略図である。陰極線管２１は、パネル（図示せず）とファンネル２２とが外囲器を構成し、パネルの内面に蛍光体面（図示せず）が形成され、蛍光体面に対向して色選別電極（図示せず）が設けられ、ファンネル２２のネック部２３内に電子銃（図示せず）を備える。ファンネル２２の背面部（コーン部）に、Ｘ軸およびＹ軸について対称に配置された４つの補正コイル１〜４を備える。キャビネット２４内には、磁気方位センサ５と、磁気方位センサ５の出力信号を補正コイル１〜４に流す電流に変換する駆動回路１１とを有する回路基板２５を備える。
【００３４】
図１は、本発明の陰極線管装置のうち、地磁気補正装置の構成の概略を示す図である。４つの補正コイル１〜４が、ファンネル２２の背面部に、かつ、陰極線管のＸ軸およびＹ軸についてほぼ対称に配置されている。補正コイル１〜４は、背後（電子銃側）から見てファンネル２２の左上部に配置される第１の補正コイル１と、左下部に配置される第２の補正コイル２と、右上部に配置される第３の補正コイル３と、右下部に配置される第４の補正コイル４とからなる。補正コイル１〜４は、少なくともＸ軸方向成分とＺ軸方向成分とを有する磁界を発生する。
【００３５】
第１〜第４の補正コイル１〜４は、ほぼ楕円形をなしており、その長径方向がＸ軸とほぼ平行になるように配置されている。図１および図３に示すように、第１の補正コイル１と第３の補正コイル３とは、Ｙ軸上において一部が重なり合っている。第２の補正コイル２と第４の補正コイル４も、Ｙ軸上において一部が重なり合っている。重なり合った部分には、２つのコイルが発生する磁界を加え合わせた磁界が生じる。この部分は、後述するように、主として画面中心の上下のランディングずれを補正する。
【００３６】
磁気方位センサ５は、少なくとも地磁気のＸ軸方向成分とＺ軸方向成分とを感知するように配置されるが、Ｙ軸と直角に交わる平面上に配置されるのが好ましい。磁気方位センサ５は、Ｙ軸と直角に交わる平面内における外部磁界の異なる２つの成分をそれぞれ感知する第１のセンサ６と第２のセンサ７とからなる。各々のセンサを図１１と同様に白抜きの矢印形で示している。また、矢印で示す「ＣＲＴの向き」とは、前面パネルの向きを示す。
【００３７】
第１のセンサ６は、所定の方向に置かれたときに最大感度が得られるように配置される。その方向は、垂直偏向量がゼロで、かつ、水平偏向量がパネル側から見てＸ軸方向右側に最大に偏向された時における電子ビームの軌道の延長線とほぼ直角になるような方向である。一方、第２のセンサ７も、所定の方向に置かれたときに最大感度が得られるように配置される。その方向は、Ｘ軸方向左側に最大に偏向された時における電子ビームの軌道の延長線とほぼ直角になるような方向である。
【００３８】
磁気方位センサ５が２個のソレノイドコイルからなる場合には、図４に示すように、各々の長手方向（中心軸と平行な方向）と電子ビームの軌道の延長線４１、４２とがほぼ直角をなすように基板４３上に配置される。第１のセンサ６は、パネル側から見てＸ軸方向右側（図４では左側）に最大に偏向された時における電子ビームの軌道と平行な直線４１と直角をなすように配置される。第２のセンサ７は、パネル側から見てＸ軸方向左側に最大に偏向された時における電子ビームの軌道と平行な直線４２と直角をなすように配置される。陰極線管の偏向角βが９０°の場合には、第１のセンサ６および第２のセンサ７の長手方向とＺ軸とがそれぞれなす角度γが４５°となるように配置される。
【００３９】
駆動回路１１は、磁気方位センサ５の出力電圧信号を電流に変換し、第１〜第４の補正コイル１〜４に供給する。駆動回路１１は、第１の補正コイル１および第２の補正コイル２に電流を供給する第１の駆動回路１２と、第３の補正コイル３および第４の補正コイル４に電流を供給する第２の駆動回路１３とからなる。
【００４０】
４つのコイルのうち、第１の補正コイル１と第２の補正コイル２とが直列に接続され、第３の補正コイル３と第４の補正コイル４とが直列に接続されている。第１の補正コイル１と第２の補正コイル２とは、陰極線管に対して同じ向きの磁界を発生する。第３の補正コイル３と第４の補正コイル４とは、陰極線管に対して同じ向きの磁界を発生する。また、第１の補正コイル１および第２の補正コイル２と、第３の補正コイル３および第４の補正コイル４とは、互いに独立に磁界を発生する。
【００４１】
次に、本発明に係る地磁気補正装置がランディングずれを補正する原理について説明する。
【００４２】
図５は、陰極線管の方位と、第１のセンサ６の出力電圧（曲線５ａ）、第２のセンサ７の出力電圧（曲線５ｂ）、両センサの出力電圧の和（破線の曲線５ｃ）の関係を示すグラフである。
【００４３】
図５において、第１のセンサ６の出力電圧は、陰極線管の方位が１３５°〜３１５°の範囲にあるときは正である。このとき、第１の補正コイル１と第２の補正コイル２とが画面右部のランディングずれを補正する磁界を発生するように、第１の補正コイル１と第２の補正コイル２の極性が決められている。方位が３１５°〜１３５°の範囲にあるときは出力電圧は負になり、第１の補正コイル１および第２の補正コイル２が発生する磁界の向きは、１３５°〜３１５°の場合と逆になる。第１の補正コイル１および第２の補正コイル２は、第１のセンサ６の出力電圧と同位相で変化する磁界を発生する。
【００４４】
一方、第２のセンサ７の出力電圧は、陰極線管の方位が４５°〜２２５°の範囲にあるときは正である。このとき、第３の補正コイル３と第４の補正コイル４とが画面左部のランディングずれを補正する磁界を発生するように、第３の補正コイル３と第４の補正コイル４の極性が決められている。方位が２２５°〜４５°の範囲にあるときは出力電圧は負になり、第３の補正コイル３および第４の補正コイル４が発生する磁界の向きは、４５°〜２２５°の場合と逆になる。第３の補正コイル３および第４の補正コイル４は、第２のセンサ７の出力電圧と同位相で変化する磁界を発生する。
【００４５】
また、両センサの出力電圧の和（曲線５ｃ）は、方位が０°および１８０°のとき、すなわち陰極線管が南北方向に置かれたときにピーク値をとる曲線である。
【００４６】
図６は、陰極線管の方位と、第１の補正コイル１および第３の補正コイル３が発生する磁界による画面上部におけるランディング補正量との関係を示すグラフである。図５と対比すると、画面右上におけるランディング補正量の変化（曲線６ａ）は、第１のセンサ６の出力すなわち第１の補正コイル１が発生する磁界に比例して変化することがわかる。同様に、画面左上におけるランディング補正量の変化（曲線６ｂ）は、第２のセンサ７の出力、すなわち第３の補正コイル３が発生する磁界に比例して変化する。画面中央上におけるランディング補正量の変化（曲線６ｃ）は、両センサの出力の和、すなわち第１の補正コイル１および第３の補正コイル３が発生する磁界の合成磁界に比例して変化する。
【００４７】
図６に示す画面上部のランディング補正量の曲線と、図９に示す地磁気による画面上部のランディングずれ量の曲線とを対比すると、画面右上、画面左上、画面中央上のそれぞれについて符号が反転した関係になっていることがわかる。すなわち、地磁気によるランディングずれのうち、画面右上については第１の補正コイル１の磁界によるランディング補正によりキャンセルされ、画面左上については第３の補正コイル３の磁界によるランディング補正によりキャンセルされ、画面中央上については第１の補正コイル１および第３の補正コイル３の合成磁界によるランディング補正によりキャンセルされる。
【００４８】
画面下部については、地磁気によるランディングずれは、画面上部のランディングずれを反転させたものとなる。第２の補正コイル２が発生する磁界の向きは第１の補正コイル１が発生する磁界の向きと同じであり、第４の補正コイル４が発生する磁界の向きは第３の補正コイル３が発生する磁界の向きと同じであり、一方、電子ビームのＹ軸方向成分は画面上部の場合と反対になるので、ランディング補正量は図６に示す曲線の正負を反転させたものとなる。この結果、画面下部についても画面上部と同様に、地磁気によるランディングずれが、第２の補正コイル２および第４の補正コイル４の磁界によるランディング補正によりキャンセルされることになる。
【００４９】
（実施例）
次に、本発明の効果を確認した実施例について説明する。実験には、偏向角９０°の６８ｃｍ（２９インチ）の陰極線管を用いた。
【００５０】
図３に示すように、本実施例に用いた第１の補正コイル１（または第２の補正コイル２）と第３の補正コイル３（または第４の補正コイル４）は、短径１５０ｍｍ、長径３００ｍｍの楕円で、０．３２ｍｍφのエナメル銅線を５０回巻いたものである。２つのコイルは、長径方向で最大約１５０ｍｍ重なり合っている。
【００５１】
磁気方位センサには、ソニー株式会社製ＭＩＵ−２１２を用いた。図４に示すように、Ｚ軸と各々のセンサの長手方向とがなす角度γが４５°になるようにセンサを設置した。
【００５２】
第１の駆動回路１２および第２の駆動回路１３は、それぞれ電圧−電流変換回路である。第１の駆動回路１２および第２の駆動回路１３は、第１のセンサ６および第２のセンサ７の出力がそれぞれ最大になるとき、対応するコイルに３０ｍＡの電流が流れるように、ゲインを設定した。
【００５３】
図７は、上記構成の地磁気補正装置を用い、日本における地磁気（３０μＴ）中においてランディングずれを補正した結果を示す。画面の第一象限の上部でランディングずれを測定したものであり、図７（ａ）は陰極線管が北向きの場合を、図７（ｂ）は東向きの場合をそれぞれ示す。ランディングずれを最大で７μｍ（左向き）にとどめることができた。
【００５４】
以上、偏向角９０°の陰極線管を用い、２つのセンサを直交する向きで使用する場合について説明した。しかし、本発明は、２つのセンサの相対角度を変えることにより、さまざまな偏向角の陰極線管に対応することができる。図４において、例えば１００°偏向（β＝１００°）の場合には、角度γを（１８０°−１００°）／２＝４０°に、１１０°偏向の場合には角度γを（１８０°−１１０°）／２＝３５°に設定すればよい。角度γを６０°〜３０°の範囲で変えることにより、偏向角βが６０°〜１２０°の範囲の陰極線管に対応可能となる。
【００５５】
補正量の調整は、陰極線管を北向き（０°）、東向き（９０°）、南向き（１８０°）、西向き（２７０°）に置いた状態で画面左右の補正量を各々調整すればよく、従来のように陰極線管の向きを変えて２回の調整をする必要がない。これは、画面右側については第１および第２の補正コイルの磁界の影響が支配的であり、画面左側については第３および第４の補正コイルの磁界の影響が支配的であるため、一方のコイルの補正磁界をゼロにして両コイルの影響を分離する必要がないからである。なお、理想的には、陰極線管の方位を４５°または２２５°にして第１および第２の補正コイルによる補正量の調整を行なうとともに、１３５°または３１５°の方位において第３および第４の補正コイルによる補正量の調整を行なうことが好ましい。図５に示すように、それぞれの方位において磁気方位センサの出力がピーク値をとるため、調整誤差が相対的に小さくなるからである。しかし、上述のように、０°、９０°、１８０°、２７０°の方位においても、磁気方位センサの出力はピーク値に近い値をとるので、調整誤差を小さいものとすることができる。
【００５６】
以上、４つの補正コイルを陰極線管のファンネル背面に沿うように配置した例について説明したが、画面におけるＸ軸方向のランディング移動を補正する磁界を発生するような補正コイルの配置には他にも種々のものが考えられる。補正コイルが発生する磁界の方向と左右に偏向された電子ビームの軌道とが平行でない限り、電子ビームを移動させる力が生じる。例えば、補正コイルをＺ軸と直角に交わる平面内に配置したり、補正コイルを陰極線管の上面部および下面部にそれぞれ配置したり、左側の補正コイルの左端部および右側の補正コイルの右端部をそれぞれ拡張して陰極線管の左右側面部まで回り込ませたり、上側の補正コイルの上端部および下側の補正コイルの下端部をそれぞれ拡張して陰極線管の上面部および下面部まで回り込ませたりすることができる。
【００５７】
【発明の効果】
以上説明したように、本発明は、陰極線管の全方位における電子ビームのランディングずれと磁気方位センサの出力を同位相にし、左右のコイルがそれぞれ画面に及ぼす効果を分離することができる。
【００５８】
また、陰極線管が東西方向または南北方向のいずれかの向きのときに同時に左右の駆動回路のゲインを調整することができるという有利な効果が得られる。
【００５９】
また、本発明は、磁気方位センサを、水平面上において陰極線管軸（Ｚ軸）から対称に±３０°から±６０°の角度で使用することにより、最大偏向角度が水平６０°から１２０°までの陰極線管で地磁気によるランディングずれを補正することができる。
【図面の簡単な説明】
【図１】本発明の陰極線管装置のうちの地磁気補正装置の概略図
【図２】本発明の陰極線管装置の概略図
【図３】本発明に係る補正コイルを示す図
【図４】本発明に係る磁気方位センサを示す図
【図５】本発明における陰極線管の方位と磁気方位センサの出力との関係を示す図
【図６】本発明における陰極線管の方位とランディング補正量との関係を示す図
【図７】本発明におけるランディングずれの補正の結果を示す図であり、
（ａ）は陰極線管が北向きの場合を示す図
（ｂ）は陰極線管が東向きの場合を示す図
【図８】陰極線管における地磁気による電子ビームランディング特性を示す図
【図９】９０°偏向の陰極線管の方位と画面上部のランディングずれとの関係を示す図
【図１０】９０°偏向の陰極線管の方位と画面下部のランディングずれとの関係を示す図
【図１１】従来の地磁気補正装置の概略図
【図１２】従来の地磁気補正装置における陰極線管の方位とセンサ出力電圧との関係を示す図
【図１３】従来の地磁気補正装置における陰極線管の方位と補正磁界との関係を示す図
【符号の説明】
１  第１の補正コイル
２  第２の補正コイル
３  第３の補正コイル
４  第４の補正コイル
５  磁気方位センサ
６  第１のセンサ
７  第２のセンサ
１１  駆動回路
１２  第１の駆動回路
１３  第２の駆動回路
２１  陰極線管
２２  ファンネル
【図１】
0003807300.tif 000002
【図２】
0003807300.tif 000003
【図３】
0003807300.tif 000004
【図４】
0003807300.tif 000005
【図５】
0003807300.tif 000006
【図６】
0003807300.tif 000007
【図７】
0003807300.tif 000008
【図８】
0003807300.tif 000009
【図９】
0003807300.tif 000010
【図１０】
0003807300.tif 000011
【図１１】
0003807300.tif 000012
【図１２】
0003807300.tif 000013
【図１３】
0003807300.tif 000014